(57)【要約】【課題】横幅方向に突出する支軸を使用しなくてもアームレストの横幅方向の位置を調整することができる座席のアームレスト構造を提供する。【解決手段】座席５０の横幅方向に移動可能に設けられたアームレスト２０と、座席５０の前後方向に移動可能に設けられたガイドブロック３０と、を備える。アームレスト２０とガイドブロック３０とは、座席５０の横幅方向および前後方向に対して斜め方向にスライド可能に係合しており、操作部４０が操作されてガイドブロック３０が前後に移動したときに、ガイドブロック３０に連動してアームレスト２０が左右に移動するように構成した。【選択図】図６
2020130491.tif 000002
【特許請求の範囲】
【請求項１】
支持部と、
前記支持部に対して座席の横幅方向に移動可能に設けられたアームレストと、
前記支持部に対して座席の前後方向に移動可能に設けられたガイドブロックと、
前記ガイドブロックを前後移動させるために手動操作可能に設けられた操作部と、
を備え、
前記アームレストと前記ガイドブロックとは、座席の横幅方向および前後方向に対して斜め方向にスライド可能に係合しており、前記操作部が操作されて前記ガイドブロックが前後に移動したときに、前記ガイドブロックに連動して前記アームレストが左右に移動するように構成されていることを特徴とする、座席のアームレスト構造。
【請求項２】
前記操作部は、軸回転可能なネジ軸を備え、
前記ガイドブロックは、前記ネジ軸に取り付けられており、
前記操作部が操作されて前記ネジ軸が回転したときに、前記ネジ軸に取り付けられた前記ガイドブロックが前記ネジ軸の軸方向に移動することを特徴とする、請求項１記載の座席のアームレスト構造。
【請求項３】
前記操作部は、前記ネジ軸が前記アームレストの長手方向と平行になるように、前記アームレストの下方に配置されていることを特徴とする、請求項２記載の座席のアームレスト構造。
【発明の詳細な説明】
【技術分野】
【０００１】
この発明は、建設機械の運転席などに使用されるアームレスト構造に関する。
【背景技術】
【０００２】
一般にショベルなどの建設機械の運転席には両脇にアームレストが設けられている。また、こうしたアームレストとして、例えば特許文献１に示すように上下の高さ位置を調節可能なものが知られている。
【０００３】
こうした従来のアームレストでは、座面に対して横幅方向にはアームレストを移動できないので、作業者の体格や姿勢に十分に対応できないという問題があった。
【０００４】
この点、特許文献２（図８等）には、運転席背もたれから横幅方向に突出する支軸を設け、この支軸の左右方向突出量を調節することでアームレストの左右方向位置調節を行うようにした構造が開示されている。
【先行技術文献】
【特許文献】
【０００５】
【特許文献１】特開平１１−２９３７０２号公報
【特許文献２】実開平７−２３４６１号公報
【発明の概要】
【発明が解決しようとする課題】
【０００６】
しかし、上記した特許文献２記載の構成では、背もたれから突出する支軸にアームレストを取り付けているため、背もたれのリクライニングによってアームレストの角度が変化してしまうという問題があった。
【０００７】
また、横幅方向に突出する支軸が必要となるため、アームレストのレイアウトに大きな制限が加わってしまうという問題があった。例えば、アームレストと直交するように支軸が配置されるので、構造をコンパクトにすることができず、また、背もたれから座席の横まで回り込むように支軸とアームレストとを配置しなければならないという問題があった。
【０００８】
また、特許文献２記載の構成において、アームレストの高さ位置を変更可能にしようとすると、支軸を支えている構造ごと上下動させるような機構が必要となるため、構造が複雑化してしまうという問題があった。
【０００９】
そこで、本発明は、横幅方向に突出する支軸を使用しなくてもアームレストの横幅方向の位置を調整することができる座席のアームレスト構造を提供することを課題とする。
【課題を解決するための手段】
【００１０】
本発明は、上記した課題を解決するためになされたものであり、支持部と、前記支持部に対して座席の横幅方向に移動可能に設けられたアームレストと、前記支持部に対して座席の前後方向に移動可能に設けられたガイドブロックと、前記ガイドブロックを前後移動させるために手動操作可能に設けられた操作部と、を備え、前記アームレストと前記ガイドブロックとは、座席の横幅方向および前後方向に対して斜め方向にスライド可能に係合しており、前記操作部が操作されて前記ガイドブロックが前後に移動したときに、前記ガイドブロックに連動して前記アームレストが左右に移動するように構成されていることを特徴とする。
【発明の効果】
【００１１】
本発明は上記の通りであり、アームレストとガイドブロックとは、座席の横幅方向および前後方向に対して斜め方向にスライド可能に係合しており、操作部が操作されてガイドブロックが前後に移動したときに、ガイドブロックに連動してアームレストが左右に移動するように構成されている。このような構成によれば、座面に対して横幅方向にアームレストを移動できるので、着席者の体格や姿勢に合わせて両側のアームレストの間隔を調整することができる。また、背もたれから横幅方向に突出する軸部材を使用しなくてもよいので、リクライニングによってアームレストの角度が変化してしまうことがない。また、突出する部材がないのでレイアウトの自由度を高めることができる。しかも、ガイドブロックはアームレストに対して上下に重ねればよいので、既存の座席のレイアウトや既存のアームレストの構造を大きく変更しなくても、アームレストの横幅方向の位置を変更可能に構成することができる。
【００１２】
また、操作部は、軸回転可能なネジ軸を備え、ガイドブロックは、ネジ軸に取り付けられており、操作部が操作されてネジ軸が回転したときに、ネジ軸に取り付けられたガイドブロックがネジ軸の軸方向に移動するようにしてもよい。このように構成すれば、操作部を軸回転させるだけでアームレストを横幅方向に移動できるので、操作部を大きく動かす必要がない。よって、着席者によるアームレストの位置調整が容易である。また、操作部が大きく動かないことにより、操作部の他部材への干渉を考慮する必要がないので、座席のレイアウトの自由度が損なわれない。
【００１３】
また、操作部は、ネジ軸がアームレストの長手方向と平行になるように、アームレストの下方に配置されていてもよい。このような構成によれば、ガイドブロックおよび操作部をアームレストの下方に重なるように配置することができるので、アームレスト構造のデザインをシンプルに保つことができる。また、アームレスト構造をコンパクトにできるので、座席のレイアウトの自由度が損なわれない。
【図面の簡単な説明】
【００１４】
【図１】座席の外観図である。
【図２】アームレスト構造の外観図である。
【図３】（ａ）アームレストと付属品を底面側から見た斜視図、（ｂ）アームレストを底面側から見た斜視図である。
【図４】スライド軸を取り外したアームレストを示す図であって、（ａ）底面側から見た斜視図、（ｂ）底面図、（ｃ）Ａ−Ａ線断面図である。
【図５】ガイドブロックおよび操作部を示す図であって、（ａ）斜視図、（ｂ）側面図、（ｃ）平面図、（ｄ）操作部のみの平面図である。
【図６】アームレスト構造の動きを説明する平面図であって、（ａ）アームレストが左側に移動した状態の図、（ｂ）アームレストが右側に移動した状態の図である。
【図７】アームレスト構造の動きを説明する側面断面図であって、（ａ）ガイドブロックが後方に移動した状態の図（アームレストが左側に移動した状態の図）、（ｂ）ガイドブロックが前方に移動した状態の図（アームレストが右側に移動した状態の図）である。
【発明を実施するための形態】
【００１５】
本発明の実施形態について、図を参照しながら説明する。
本実施形態に係るアームレスト構造１０は、建設機械の運転席などの座席５０に設置されるものであり、例えば、図１に示すように、座席５０の両側に配置される。このアームレスト構造１０は、支持部１１と、アームレスト２０と、ガイドブロック３０と、操作部４０と、を備える。
【００１６】
支持部１１は、アームレスト構造１０を支えるためのものである。支持部１１は、座席５０の側部に配置されており、この支持部１１の上部にアームレスト２０が取り付けられている。本実施形態に係る支持部１１は、図２に示すように、支柱１２と、支持椀部１３と、を備えている。
【００１７】
支柱１２は、座席５０の側部に立設するパイプである。本実施形態に係る支柱１２は、座席５０に対して伸縮自在に取り付けられており、所定の長さに伸長した状態で固定できるようになっている。このように支柱１２の長さを調節することで、アームレスト２０の高さ位置を調節可能に構成されている。
【００１８】
支持椀部１３は、支柱１２の上端部に略水平に固定されたアーム状の部材である。この支持椀部１３は、後述するアームレスト２０やガイドブロック３０を移動可能に支持するためのものである。本実施形態に係る支持椀部１３は、アームレスト２０の長手方向に沿って配設されており、上下に投影したときにアームレスト２０の下面に隠れるように配置されている。
【００１９】
この支持椀部１３には、図７に示すように、座席５０の横幅方向に貫通する第１支持穴１４が形成されている。この第１支持穴１４は、アームレスト２０を座席５０の横幅方向に摺動可能に支持するためのものである。本実施形態においては、前後の２か所に第１支持穴１４が設けられている。また、この支持椀部１３の内部には、図７に示すように、座席５０の前後方向に貫通する第２支持穴１５が形成されている。この第２支持穴１５は、操作部４０を回転可能に支持するためのものである。第２支持穴１５は、前後の２か所に間隔を設けて同軸上に設けられており、この２か所の第２支持穴１５を貫通するように軸部材の操作部４０を取り付けることで、操作部４０は回転可能に支持されている。
【００２０】
アームレスト２０は、座席５０に座った着席者が肘を置くためのものである。このアームレスト２０は、図３および図４に示すように、肘を置くために上面が平らに形成された天板２１と、天板２１の裏側に固定された一対の軸支持板２２と、一対の軸支持板２２の間に水平に固定されたスライド軸２３と、を備える。
【００２１】
天板２１の裏面には、図４（ａ）（ｂ）に示すように、係合凸部２１ａが突出形成されている。係合凸部２１ａは、座席５０の横幅方向および前後方向に対して斜め方向に延設された突条であり、本実施形態においては、２本の係合凸部２１ａが互いに平行に設けられている。
【００２２】
一対の軸支持板２２は、係合凸部２１ａの両側に配置されており、天板２１の裏面から下方に突出している。この一対の軸支持板２２には、図４（ａ）に示すように、スライド軸２３を取り付けるための軸支持穴２２ａが設けられている。
【００２３】
スライド軸２３は、アームレスト２０の摺動をガイドさせるための棒状部材であり、一対の軸支持板２２の間に固定されている。本実施形態に係るアームレスト２０は、前後に２本のスライド軸２３を備えており、この２本のスライド軸２３が、座席５０の横幅方向と平行にアームレスト２０に固定されている。
【００２４】
このアームレスト２０は、図３（ａ）に示すように、支持部１１の２か所の第１支持穴１４にそれぞれスライド軸２３を貫通させた状態で、支持部１１に取り付けられる。このとき、支持部１１の幅よりもスライド軸２３の方が長いため、アームレスト２０はスライド軸２３の軸方向に摺動可能となっている。言い換えると、アームレスト２０は、図２に示すように、支持部１１に対して座席５０の横幅方向に移動可能となっている。
【００２５】
ガイドブロック３０は、上記したアームレスト２０の移動をガイドするためのものである。本実施形態に係るガイドブロック３０は、図５に示すように、ナット部３１と、ガイド部３２と、を備える。
【００２６】
ナット部３１は、後述する操作部４０を取り付けるための部位である。ナット部３１には、操作部４０のネジ軸４２（後述）を挿入するネジ取付穴３１ａが貫通形成されている。ナット部３１は、このネジ取付穴３１ａの内側において、ネジ軸４２のおねじと螺合するようになっており、ネジ軸４２が回転したときにネジ軸４２の軸方向にナット部３１が移動するようになっている。すなわち、ガイドブロック３０はネジ軸４２の軸方向に移動可能となっており、言い換えると、ガイドブロック３０は支持部１１に対して座席５０の前後方向に移動可能となっている。なお、特に図示しないが、このようにナット部３１をネジで進退させる送りねじ機構としては、従来周知のすべりねじ機構やボールねじ機構を使用可能である。
【００２７】
ガイド部３２は、アームレスト２０の下面に対向するように取り付けられるブロック状の部位である。このガイド部３２の上面には、図５（ａ）（ｃ）に示すように、ガイド溝３２ａが形成されている。ガイド溝３２ａは、座席５０の横幅方向および前後方向に対して斜め方向に延設されており、上記したアームレスト２０の係合凸部２１ａとスライド可能に係合している。本実施形態においては、２本の係合凸部２１ａに対応して、２本のガイド溝３２ａが互いに平行に設けられている。
【００２８】
操作部４０は、ガイドブロック３０を前後移動させるために手動操作可能に設けられる部材である。本実施形態に係る操作部４０は、図５（ｄ）に示すような棒状部材であり、グリップ４１と、ネジ軸４２と、を備える。
【００２９】
グリップ４１は、座席５０の着席者が把持して回転操作可能な部位である。本実施形態においては、円盤状のグリップ４１となっており、着席者が円盤状のグリップ４１を回転させることで操作部４０が軸回転するようになっている。このグリップ４１は、図１および図２に示すように、座席５０の前方に臨むように、アームレスト２０の下方に配置されている。
【００３０】
ネジ軸４２は、図７に示すように、前後２か所の第２支持穴１５によって軸回転可能に支持された部位である。このネジ軸４２は、第２支持穴１５から脱落しないように留め輪と段差を備えており、この留め輪と段差が第２支持穴１５に係合することで、軸方向へは移動できないようになっている。このネジ軸４２は、座席５０の前後方向（アームレスト２０の長手方向）と平行になるように、アームレスト２０の下方に配置されている。このネジ軸４２は、グリップ４１が回転操作されたときに一体的に回転する。
【００３１】
また、このネジ軸４２は、外周におねじを形成したネジ部４２ａを備える。このネジ部４２ａにガイドブロック３０が取り付けられている。詳しくは、ガイドブロック３０のネジ取付穴３１ａにネジ軸４２が貫通しており、ネジ取付穴３１ａの内側では、ネジ軸４２のおねじに対して、ガイドブロック３０がネジ送り可能に係合している。このため、操作部４０が操作されてネジ軸４２が回転したときに、ネジ軸４２に取り付けられたガイドブロック３０がネジ軸４２の軸方向に移動するように構成されている。
【００３２】
このようなアームレスト構造１０を使用してアームレスト２０の左右位置を調節するときには、任意の方向に操作部４０のグリップ４１を回転させればよい。グリップ４１を回転させた方向に従って、アームレスト２０が左右いずれかの方向に移動する。
【００３３】
すなわち、操作部４０が着席者によって所定の方向（例えば時計回りの方向）に回転されると、図６（ａ）および図７（ａ）に示すように、ネジ軸４２によってネジ送りされてガイドブロック３０が前方に移動する。このとき、アームレスト２０の係合凸部２１ａがガイドブロック３０のガイド溝３２ａと係合しているため、ガイドブロック３０によってアームレスト２０が前方に押圧される。しかし、アームレスト２０は左右方向にしか移動できないため、係合凸部２１ａおよびガイド溝３２ａの延設方向にそってアームレスト２０が左右いずれか（例えば左方向）に移動する。
【００３４】
一方、操作部４０が着席者によって所定の方向とは反対の方向（例えば反時計回りの方向）に回転されると、図６（ｂ）および図７（ｂ）に示すように、ネジ軸４２によってネジ送りされてガイドブロック３０が後方に移動する。このとき、アームレスト２０の係合凸部２１ａがガイドブロック３０のガイド溝３２ａと係合しているため、ガイドブロック３０によってアームレスト２０が後方に押圧される。しかし、アームレスト２０は左右方向にしか移動できないため、係合凸部２１ａおよびガイド溝３２ａの延設方向にそってアームレスト２０が上記とは逆方向（例えば右方向）に移動する。
【００３５】
以上説明したように、本実施形態によれば、アームレスト２０とガイドブロック３０とは、座席５０の横幅方向および前後方向に対して斜め方向にスライド可能に係合しており、操作部４０が操作されてガイドブロック３０が前後に移動したときに、ガイドブロック３０に連動してアームレスト２０が左右に移動するように構成されている。このような構成によれば、座面に対して横幅方向にアームレスト２０を移動できるので、着席者の体格や姿勢に合わせて両側のアームレスト２０の間隔を調整することができる。また、背もたれから横幅方向に突出する軸部材を使用しなくてもよいので、リクライニングによってアームレスト２０の角度が変化してしまうことがない。また、突出する部材がないのでレイアウトの自由度を高めることができる。しかも、ガイドブロック３０はアームレスト２０に対して上下に重ねればよいので、既存の座席５０のレイアウトや既存の支持部１１の構造を大きく変更しなくても、アームレスト２０の横幅方向の位置を変更可能に構成することができる。
【００３６】
また、操作部４０は、軸回転可能なネジ軸４２を備え、ガイドブロック３０は、ネジ軸４２に取り付けられており、操作部４０が操作されてネジ軸４２が回転したときに、ネジ軸４２に取り付けられたガイドブロック３０がネジ軸４２の軸方向に移動する。このため、操作部４０を軸回転させるだけでアームレスト２０を横幅方向に移動できるので、操作部４０を大きく動かす必要がない。よって、着席者によるアームレスト２０の位置調整が容易である。また、操作部４０が大きく動かないことにより、操作部４０の他部材への干渉を考慮する必要がないので、座席５０のレイアウトの自由度が損なわれない。
【００３７】
また、操作部４０は、ネジ軸４２がアームレスト２０の長手方向と平行になるように、アームレスト２０の下方に配置されている。すなわち、ガイドブロック３０および操作部４０をアームレスト２０の下方に重なるように配置しているので、アームレスト構造１０のデザインをシンプルに保つことができる。また、アームレスト構造１０をコンパクトにできるので、座席５０のレイアウトの自由度が損なわれない。
【００３８】
なお、上記した実施形態においては、ネジ軸４２を備えた操作部４０を使用したが、これに限らず、異なる態様の操作部４０であってもよい。例えば、支持部１１に対して、座席５０の前後方向にスライド可能な操作部４０を設け、この操作部４０に連動してガイドブロック３０が前後に移動するようにしてもよい。また、レバー状の操作部４０を設け、この操作部４０に連動してガイドブロック３０が前後に移動するようにしてもよい。
【００３９】
また、上記した実施形態においては、支持部１１が座席５０の側部に立設するように配置されているが、支持部１１の配置はこのような態様に限らない。例えば、座席５０、床、天井、側面壁などから支持部１１が延設されるようにしてもよい。
【符号の説明】
【００４０】
１０  アームレスト構造
１１  支持部
１２  支柱
１３  支持椀部
１４  第１支持穴
１５  第２支持穴
２０  アームレスト
２１  天板
２１ａ  係合凸部
２２  軸支持板
２２ａ  軸支持穴
２３  スライド軸
３０  ガイドブロック
３１  ナット部
３１ａ  ネジ取付穴
３２  ガイド部
３２ａ  ガイド溝
４０  操作部
４１  グリップ
４２  ネジ軸
４２ａ  ネジ部
５０  座席
【図１】
2020130491.tif 000003
【図２】
2020130491.tif 000004
【図３】
2020130491.tif 000005
【図４】
2020130491.tif 000006
【図５】
2020130491.tif 000007
【図６】
2020130491.tif 000008
【図７】
2020130491.tif 000009